【手続補正書】
【提出日】平成16年10月14日(2004.10.14)
【手続補正１】
【補正対象書類名】明細書
【補正対象項目名】特許請求の範囲
【補正方法】変更
【補正の内容】
【特許請求の範囲】
【請求項１】
用紙上に画像を形成するインクジェット記録装置において、前記用紙の先端又は後端位置を検出するレジストセンサと、前記用紙を搬送する搬送ベルトと、前記搬送ベルトに対して電荷を与える帯電ローラと、前記搬送ベルトにより搬送される前記用紙にインクを吐出するインクジェットヘッドとを備え、前記帯電ローラの位置から前記インクジェットヘッドにより前記用紙に対する吐出を開始する吐出開始位置までの距離Ｌｂと、前記レジストセンサの位置から前記吐出開始位置までの距離Ｌｓとの関係が、Ｌｂ＜Ｌｓであることを特徴とするインクジェット記録装置。
【請求項２】
前記用紙の表裏面を反転させる反転ユニットを更に備え、前記反転ユニットは、用紙搬送路を切り替える切り替え手段を有し、前記反転ユニットは、前記搬送ベルトの逆回転により排紙方向に対して逆方向に搬送された印字後の前記用紙の表裏面を、前記切り替え手段を介して反転させ、表裏面が反転された前記用紙を、再度、正回転している前記搬送ベルトに向けて搬送することを特徴とする請求項１に記載のインクジェット記録装置。
【手続補正２】
【補正対象書類名】明細書
【補正対象項目名】０００７
【補正方法】変更
【補正の内容】
【０００７】
【課題を解決するための手段】
請求項１に記載の発明は、用紙上に画像を形成するインクジェット記録装置において、前記用紙の先端又は後端位置を検出するレジストセンサと、前記用紙を搬送する搬送ベルトと、前記搬送ベルトに対して電荷を与える帯電ローラと、前記搬送ベルトにより搬送される前記用紙にインクを吐出するインクジェットヘッドとを備え、前記帯電ローラの位置から前記インクジェットヘッドにより前記用紙に対する吐出を開始する吐出開始位置までの距離Ｌｂと、前記レジストセンサの位置から前記吐出開始位置までの距離Ｌｓとの関係が、Ｌｂ＜Ｌｓであることを特徴とするインクジェット記録装置。
【手続補正３】
【補正対象書類名】明細書
【補正対象項目名】０００８
【補正方法】変更
【補正の内容】
【０００８】
請求項２に記載の発明は、請求項１に記載のインクジェット記録装置に於いて、前記用紙の表裏面を反転させる反転ユニットを更に備え、前記反転ユニットは、用紙搬送路を切り替える切り替え手段を有し、前記反転ユニットは、前記搬送ベルトの逆回転により排紙方向に対して逆方向に搬送された印字後の前記用紙の表裏面を、前記切り替え手段を介して反転させ、表裏面が反転された前記用紙を、再度、正回転している前記搬送ベルトに向けて搬送することを特徴とするものである。
【手続補正４】
【補正対象書類名】明細書
【補正対象項目名】０００９
【補正方法】削除
【補正の内容】
【手続補正５】
【補正対象書類名】明細書
【補正対象項目名】００１４
【補正方法】変更
【補正の内容】
【００１４】
図１は、本発明に係るインクジェット記録装置の概略構成の一例を示す概略構成図であり、例えば、図６や図７に示すごとき静電吸着方式の吸着ベルトの構造を備えているものである。ここで、本発明に係るインクジェット記録装置にあっては、搬送ローラ１以降の用紙３ａの搬送を行う搬送ベルト即ち吸着ベルト７に対して電荷を与える帯電ローラ１５の帯電位置（Ｂｔ）１７から前記用紙３ａに対する印字を開始する印字開始位置（Ａ点）１８迄の距離Ｌｂ（即ち、帯電距離Ｌｂ）と、前記用紙３ａの先端や後端の位置を検知するレジストセンサ検知位置（Ｓｓ）１０から前記印字開始位置（Ａ点）１８迄の距離Ｌｓ（即ち、センサ距離Ｌｓ）との関係が、Ｌｂ＜Ｌｓの関係で構成されていることを特徴としている。
【手続補正６】
【補正対象書類名】明細書
【補正対象項目名】００１５
【補正方法】変更
【補正の内容】
【００１５】
かくのごとく、前記センサ距離Ｌｓよりも短い帯電距離Ｌｂからなるインクジェット記録装置を構成することにより、印字終了時に、排紙したり、あるいは、両面印字のために反転ユニット１２へ用紙３ａを逆方向に搬送させたりする際の、吸着ベルト７からの用紙３ａの分離性を向上させることが可能となる。なお、本発明のインクジェット記録装置の構成と動作についての以下の説明においては、前記センサ距離Ｌｓを５０ｍｍ、及び、前記帯電距離Ｌｂを４７ｍｍとするように構成されたインクジェット記録装置を一例として用いている。まず、印字用の用紙種類が普通紙（即ち、２０ポンド紙）を用いた場合について説明を行う。
【手続補正７】
【補正対象書類名】明細書
【補正対象項目名】００１９
【補正方法】変更
【補正の内容】
【００１９】
ここで、かかる書き込み動作が開始される際にあっては、用紙３ａの先端がレジストセンサ検知位置（Ｓｓ）１０で検知された後、検知後用紙搬送距離として６ｍｍ搬送した後に、帯電ローラ１５には、電圧値±Ｖｔ（Ｖ）かつ周波数ｆ（Ｈｚ）の電圧が印加される。なお、帯電ローラ１５への印加電圧の電圧値と周波数及び前記検知後用紙搬送距離は、用紙３ａの種類により、最適な値が異なっている。
【手続補正８】
【補正対象書類名】明細書
【補正対象項目名】００２２
【補正方法】変更
【補正の内容】
【００２２】
更に、実験によれば、普通紙（即ち、２０ポンド紙）に対しては、吸着ベルト７の搬送速度が２００ｍｍ／ｓｅｃである場合にあっては、前記検知後用紙搬送距離を搬送した後における帯電ローラ１５への印加電圧は、電圧値Ｖｔが±（２〜３）ＫＶ、周波数ｆが（８〜１０）Ｈｚとする場合が適正値であった。
【手続補正９】
【補正対象書類名】明細書
【補正対象項目名】００２４
【補正方法】変更
【補正の内容】
【００２４】
この時、前記吸着力制御範囲としては、用紙３ａの副走査方向において、用紙３の先端から内側に向って３ｍｍ（＝センサ距離Ｌｓ−帯電距離Ｌｂ−検知後用紙搬送距離＝５０−４７−６ｍｍ＝−３ｍｍ）とされており、前記吸着力制御範囲即ち用紙３の先端から内側に向って３ｍｍ迄の吸着ベルト７には、電荷が帯電されていないため、用紙３ａに対する吸着ベルト７の吸着力は無いか、あるいは、極めて弱い状態になっているという吸着力制御がなされている。そのため、印字がされた後も逐次継続して搬送されている用紙３ａは、用紙３ａの腰と吸着ベルト７の駆動ローラ６の曲率とによって、用紙３ａの先端から内側に向って３ｍｍの範囲において、吸着ベルト７から容易に分離されて、以降に続く用紙３ａも次々に吸着ベルト７から分離される状態になる。
【手続補正１０】
【補正対象書類名】明細書
【補正対象項目名】００２５
【補正方法】変更
【補正の内容】
【００２５】
図２に、用紙３ａの先端が、吸着ベルト７から分離された状態の一例を示す。図２において、分離された用紙３ｂ（即ち、図２に示す吸着ベルト７の駆動ローラ６の右上側に排紙されてくる用紙）として示すように、用紙３ａの先端が、駆動ローラ６側の吸着ベルト７に巻き付くことなく、吸着ベルト７から容易に分離されて、インクジェット記録装置から排出される状態になる。しかる後において、継続して、用紙３ａに対して印字が行われて、レジストセンサ検知位置（Ｓｓ）１０により、用紙３ａの後端が検知されると、帯電ローラ１５への電圧の印加が停止される。
【手続補正１１】
【補正対象書類名】明細書
【補正対象項目名】００２６
【補正方法】変更
【補正の内容】
【００２６】
前述のように、前記センサ距離Ｌｓ（用紙の先端や後端を検知するレジストセンサ検知位置（Ｓｓ）１０と印字開始位置（Ａ点）１８迄の距離）を５０ｍｍ、及び、前記帯電距離Ｌｂ（帯電ローラ１５の帯電位置（Ｂｔ）１７と印字開始位置（Ａ点）１８迄の距離）を４７ｍｍとした場合、用紙３ａの後端の検知後、直ちに、帯電ローラ１５への電圧の印加を停止してしまうことにより、前述の用紙３ａの先端を検知した場合と同様に、用紙３ａの後端から用紙３ａの内側に向って３ｍｍの間、用紙３ａに対する吸着ベルト７の吸着力が無いか、あるいは、極めて弱い状態になる。而して、吸着ベルト７と用紙３ａとの間の吸着力を無くす又は吸着力を弱くする吸着力制御範囲の大きさとして、用紙３ａの後端部における３ｍｍの用紙副走査方向の間も、用紙３ａの先端部と同様に、吸着ベルト７との分離が容易な状態にされる吸着力制御方式が提供されている。
【手続補正１２】
【補正対象書類名】明細書
【補正対象項目名】００２８
【補正方法】変更
【補正の内容】
【００２８】
更に、実験によれば、薄紙（即ち、１６ポンド紙）に対しては、吸着ベルト７の搬送速度が２００ｍｍ／ｓｅｃの場合には、帯電ローラ１５への印加電圧として、電圧値Ｖｔは±（２〜３）ＫＶ、周波数ｆは（５〜７）Ｈｚが適正値であった。
【手続補正１３】
【補正対象書類名】明細書
【補正対象項目名】００３７
【補正方法】変更
【補正の内容】
【００３７】
ここに、図５は、反転された用紙３ａの裏面に印字する状態の一例を示す概略構成図である。用紙３ａの裏面の先端部分への画情報の印字が終了して、吸着ベルト７により搬送されていくと、用紙３ａの裏面側の先端は、吸着ベルト７から分離されて、排紙方向に用紙３ａが排出される状態になり、しかる後において、用紙３ａに対して印字が継続して行われ、レジストセンサ検知位置（Ｓｓ）１０により、用紙３ａの裏面側の後端が検知されると、帯電ローラ１５への電圧の印加が停止される。用紙３ａの裏面への画情報の印字が終了したら、排紙方向に用紙３ａは搬送されて、インクジェット記録装置から排紙されることになる。
【手続補正１４】
【補正対象書類名】明細書
【補正対象項目名】００４１
【補正方法】変更
【補正の内容】
【００４１】
また、本実施例の普通紙（２０ポンド紙）の場合においては、用紙３ａの先端部や後端部に３ｍｍの吸着力制御範囲即ち非帯電部分（即ち、非吸着範囲）が確保される場合の一例を示しているが、用紙３ａの種類に応じて、搬送ローラ１以降の用紙３ａの搬送を行う搬送ベルト即ち吸着ベルト７に対して電荷を与える帯電ローラ１５の帯電位置（Ｂｔ）１７から用紙３ａに対する印字を開始する印字開始位置（Ａ点）１８迄の前記帯電距離Ｌｂと、用紙３ａの先端や後端の位置を検知するレジストセンサ検知位置（Ｓｓ）１０から前記印字開始位置（Ａ点）１８迄の前記センサ距離Ｌｓとの関係を調整することにより、用紙３ａの先端部や後端部における吸着力制御範囲即ち非帯電部分（即ち、非吸着範囲）を最適な範囲に設定することも可能である。
【手続補正１５】
【補正対象書類名】明細書
【補正対象項目名】００４３
【補正方法】変更
【補正の内容】
【００４３】
なお、非吸着範囲とは、前述の吸着力制御方式を提供するために、吸着ベルト７と当該用紙３ａとの間の吸着力を無くす又は吸着力を弱くする吸着力制御範囲の用紙副走査方向の大きさを示すものであり、それぞれ当該用紙３ａの先端部及び後端部において、吸着ベルト７との分離が容易な状態にし得る最低の副走査方向の幅を示している。また、印加電圧の電圧値と周波数とは、帯電ローラ１５により吸着ベルト７に帯電させるために帯電ローラ１５へ印加すべきＡＣ電圧の上限値と下限値との各電圧値と、該ＡＣ電圧の周波数とを示している。
【手続補正１６】
【補正対象書類名】明細書
【補正対象項目名】図面の簡単な説明
【補正方法】変更
【補正の内容】
【図面の簡単な説明】
【図１】  本発明に係るインクジェット記録装置の概略構成の一例を示す概略構成図である。
【図２】  用紙の先端が、吸着ベルトから分離された状態の一例を示す概略構成図である。
【図３】  切り替え板のガイド面から用紙が抜け出て、切り替え板が待機位置まで回転した状態の一例を示す概略構成図である。
【図４】  用紙を反転ユニット側に搬送する状態の一例を示す概略構成図である。
【図５】  反転された用紙の裏面に印字する状態の一例を示す概略構成図である。
【図６】  吸着ベルトの構造の一例としてグリップローラからなっている場合を示す斜視図である。
【図７】  吸着ベルトの構造の他の一例としてタイミングベルトが形成されている場合を示す斜視図である。
【符号の説明】
１…搬送ローラ、２…給紙ローラ、３…用紙トレイ、３ａ…用紙、３ｂ…分離された用紙、４…分離パッド、５…吸着ベルトの従動ローラ、６…吸着ベルトの駆動ローラ、７…吸着ベルト（搬送ベルト）、８…キャリッジ、９…押さえ板、１０…レジストセンサ検知位置（Ｓｓ）、１１…先端コロ、１２…反転ユニット、１２ａ…反転ローラ、１２ｂ…加圧コロ、１３…ガイド板、１４…切り替え板、１５…帯電ローラ、１６…スプリング、１７…帯電位置（Ｂｔ）、１８…印字開始位置（Ａ点）、２１…グリップローラ、２２…突起、２３…タイミングベルト、２４…２進スケール。